(57)【要約】 【課題】  掴みやすく且つ使用感が良好である環状グリップ及び手すりを得る。【解決手段】    環状グリップ５は、芯材９の外周を被覆体１０で覆われた手すり笠木４の外周に装着されるものであり、被覆体１０には、その外周面から厚み方向に落ち込む係止穴２０が形成されている。また、環状グリップ５には、その内周面から径方向内方に向けて突出した突起部３０が設けられている。環状グリップ５は、係止穴２０に突起部３０が挿入されることにより、手すり笠木４に固定される。【選択図】  図２
2019065609.tif 000002
【特許請求の範囲】
【請求項１】
芯材の外周を被覆体で覆われた手すり笠木の外周に装着される環状グリップであって、
前記被覆体には、その外周面から厚み方向に落ち込む係止穴が形成されており、
前記環状グリップには、その内周面から径方向内方に向けて突出した突起部が設けられ、
前記係止穴に前記突起部が挿入されることにより、前記手すり笠木に固定されることを特徴とする環状グリップ。
【請求項２】
前記手すり笠木には、前記芯材と前記被覆体の間に空隙部が形成されており、
前記係止穴は、前記被覆体を貫通して前記空隙部に連通しており、
前記突起部の先端部には爪部が設けられ、
前記環状グリップが前記手すり笠木に固定される際、前記係止穴に挿入された前記突起部の前記爪部が前記空隙部に位置すると共に、前記被覆体の内周面における前記係止穴の周囲に係止することを特徴とする請求項１に記載の環状グリップ。
【請求項３】
前記環状グリップは、円弧状の２つの分割グリップ部で構成されており、
前記２つの分割グリップには、周方向の一方の端部の外周面に外周面嵌合部が、他方の端部の内周面に内周面嵌合部がそれぞれ設けられており、
前記２つの分割グリップの互いの外周側嵌合部と内周側嵌合部とが嵌合することにより、前記手すり笠木に固定されることを特徴とする請求項１又は２に記載の環状グリップ。
【請求項４】
前記芯材には長手方向に延びる開口部が形成されており、
前記被覆体における前記開口部に対向する位置には、長手方向に延びるスリットが形成されており、
前記環状グリップは、前記被覆体の外周を覆う優弧状部を有するグリップ本体と、前記開口部に対応する位置で前記優弧状部の両端部に渡される劣弧状部を有するグリップ蓋部とで構成されており、
前記グリップ本体は、前記優弧状部の両端から前記被覆体のスリット端面に沿って屈曲する屈曲部を備え、
前記グリップ蓋部は、前記劣弧状部の内面から前記芯材の前記開口部に向けて突出する係止突部が設けられており、
前記係止突部の先端部には係止爪が設けられ、
前記劣弧部が前記屈曲部に当接すると共に、前記係止爪がスリットを介して前記開口部の内側周縁部に係止することにより、前記手すり笠木に固定されることを特徴とする請求項１に記載の環状グリップ。
【請求項５】
前記環状グリップの外周面には、幅方向の中央に凸湾曲状の山部が形成されており、該山部の両側に凹湾曲状に窪んだ窪み部が形成されていることを特徴とする請求項１から４のいずれか１項に記載の環状グリップ。
【請求項６】
請求項１から５のいずれか１項に記載の環状グリップと、該環状グリップが装着された前記手すり笠木とを備えていることを特徴とする手すり。
【発明の詳細な説明】
【技術分野】
【０００１】
本発明は、壁や床等に設置される手すりに取り付けられる環状グリップ及び手すりに関するものである。
【背景技術】
【０００２】
一般の住居或いは病院、公共施設等においては、特に高齢者等が安全に歩行、立ち上がり動作を行うことができるように、階段、玄関、便所、浴室等に手すりが設置されている。ところで、一般的に高齢者は、手すりを掴む手の力が弱いため、手すりをしっかりと掴むことが難しく、手すりを掴む手が滑ってしまい、手すりに掴まって立ち上がったり、階段を昇り降りしたりすることが困難である。
【０００３】
そこで、手すりを掴んだ手が滑るのを防止するものとして、手のひらに対応した球状の三次元曲面をなす手掛け面を外周に形成し、同一形状の２個の構成体を突き合わせた手掛け具が提案されている（特許文献１参照。）。
【先行技術文献】
【特許文献】
【０００４】
【特許文献１】特開２０１１−３８３５３号公報
【発明の概要】
【発明が解決しようとする課題】
【０００５】
しかしながら、特許文献１に記載の手掛け具にあっては、各構成体の周方向の一側に径面から周壁の途中までねじ穴が設けられ、他側に手掛け面から径面へ貫通する貫穴が設けられており、一方の構成他の貫穴を介し他方の構成体のねじ穴に締付ねじをねじ込んで手すりに手掛け具を装着する。そのため、各構成体にはねじ穴を形成するための厚みが必要になり、必然的に肉厚になってしまう。
そのため、特許文献１に記載の手掛け具は形状が大きくなり、高齢者や子供は握りづらいといった問題がある。
【０００６】
また、このような形状の大きい手掛け具を手すりに取り付けた場合には、手掛け具と壁との間が狭くなってしまうため、手掛け具を掴んだときに窮屈感を感じ、特に手の大きい利用者が握ったときには、壁に手が当たってしまうといった問題がある。
さらに、特許文献１に記載の手掛け具は、ねじ穴にごみが溜まりやすいといった問題がある。
【０００７】
本発明の目的は、掴みやすく且つ使用感が良好である環状グリップ及び該環状グリップを備えた手すりを提供することにある。
【課題を解決するための手段】
【０００８】
前記目的を達成するため、本発明にあっては次のような解決手法を採択してある。
すなわち、本発明の第１の特徴は、芯材の外周を被覆体で覆われた手すり笠木の外周に装着される環状グリップであって、前記被覆体には、その外周面から厚み方向に落ち込む係止穴が形成されており、前記環状グリップには、その内周面から径方向内方に向けて突出した突起部が設けられ、前記係止穴に前記突起部が挿入されることにより、前記手すり笠木に固定されることにある。
【０００９】
本発明の第２の特徴は、前記第１の特徴に加え、前記手すり笠木には、前記芯材と前記被覆体の間に空隙部が形成されており、前記係止穴は、前記被覆体を貫通して前記空隙部に連通しており、前記突起部の先端部には爪部が設けられ、前記環状グリップが前記手すり笠木に固定される際、前記係止穴に挿入された前記突起部の前記爪部が前記空隙部に位置すると共に、前記被覆体の内周面における前記係止穴の周囲に係止することにある。
【００１０】
本発明の第３の特徴は、前記第１又は第２の特徴に加え、前記環状グリップは、円弧状の２つの分割グリップ部で構成されており、前記２つの分割グリップには、周方向の一方の端部の外周面に外周面嵌合部が、他方の端部の内周面に内周面嵌合部がそれぞれ設けられており、前記２つの分割グリップの互いの外周側嵌合部と内周側嵌合部とが嵌合することにより、前記手すり笠木に固定されることにある。
【００１１】
本発明の第４の特徴は、前記第１の特徴に加え、前記芯材には長手方向に延びる開口部が形成されており、前記被覆体における前記開口部に対向する位置には、長手方向に延びるスリットが形成されており、前記グリップは、前記被覆体の外周を覆う優弧状部を有するグリップ本体と、前記開口部に対応する位置で前記優弧状部の両端部に渡される劣弧状部を有するグリップ蓋部とで構成されており、前記グリップ本体は、前記優弧状部の両端から前記被覆体のスリット端面に沿って屈曲する屈曲部を備え、前記グリップ蓋部は、前記劣弧状部の内面から前記芯材の前記開口部に向けて突出する係止爪を備え、前記劣弧部が前記屈曲部に当接すると共に、前記係止爪が前記スリットを介して前記開口部の内側周縁部に係止することにより、前記手すり笠木に固定されることにある。
【００１２】
本発明の第５の特徴は、前記第４の特徴に加え、幅方向の中央に凸湾曲状の山部が形成されており、該山部の両側に凹湾曲状に窪んだ窪み部が形成されていることにある。これにより、肉薄な環状グリップでも指をかけ易くなる。
【００１３】
本発明の第６の特徴は、手すりにおいて、前記第１の特徴から前記第５の特徴のいずれか一に記載の環状グリップと、該環状グリップが装着された前記手すり笠木とを備えていることにある。
【発明の効果】
【００１４】
本発明によれば、環状グリップの突起部を被覆体の係止穴に挿入することにより、環状グリップを手すり笠木に固定することができるため、環状グリップの厚みを肉薄化して全体をコンパクトにすることができる。これにより、手が小さい女性や子供でも環状グリップを掴みやすく、また、手の大きい人でも環状グリップを握ったときに壁との間で窮屈感を感じない。さらに、ねじを用いずに環状グリップを手すり笠木に固定することができるため、環状グリップにねじ穴を設ける必要がなく、ねじ穴にごみが溜まる問題も生じない。
【図面の簡単な説明】
【００１５】
【図１】本発明に係る実施形態の第１例であって、手すり笠木に環状グリップが装着された手すりを示す斜視図である。
【図２】図１のＡ−Ａ線断面図である。
【図３】第１例の手すり笠木に装着された環状グリップを示す平面図である。
【図４】第１例の分割グリップ部を示す正面図である。
【図５】第１例の分割グリップ部を示す斜視図である。
【図６】本発明に係る実施形態の第２例であって、手すり笠木に環状グリップが装着された手すりを示す斜視図である。
【図７】図６のＢ−Ｂ線断面図である。
【図８】第２例の環状グリップを示す分解斜視図である。
【発明を実施するための形態】
【００１６】
以下、本発明に係る環状グリップ及び該環状グリップが備えられた手すりを実施するための形態を、図面を参照して詳細に説明する。先ずは、本発明の実施形態の第１例について、図１から図５を参照して説明する。
図１において、符号１は、建築物の壁面であり、この壁面１に手すり２が取付けられている。手すり２は、複数のブラケット３と、該ブラケット３に支持固定される手すり笠木４とを備えており、この手すり笠木４の外周に第１例の環状グリップ５が装着される。
【００１７】
ブラケット４は、壁面１に固定される基礎部６と、その基礎部６から伸びる取付部７とを有しており、取付部７の先端部が手すり笠木４に固定されるようになっている。手すり笠木４の端部には、手すり笠木４の端面を目隠しするエンドキャップ８が装着されている。図２に示すように、手すり笠木４は、芯材９に被覆体１０を被覆して形成されている。
【００１８】
芯材９は、金属製の略四角筒状の長尺部材である。図２に示すように、芯材９は、断面が略矩形状に形成されており、左右一対の壁部１１のそれぞれの外側面には、長手方向に延びる溝部１２が形成されている。芯材９の下側の壁部には、長手方向に延びる開口部１３と、開口部１３に臨む左右一対の開口端部１４とが設けられている。
【００１９】
被覆体１０は、熱可塑性樹脂（例えば、ポリ塩化ビニル等）により略円筒形状に形成されており、被覆体１０における芯材９の開口部１３に対向する位置には、長手方向に延びるスリット１６が形成されている。スリット１６を成す被覆体１０の両側端部には、内側方向に向かって折れ曲がる一対の折曲部１７が形成されており、折曲部１７が芯材９の係止壁１５に係止されるようになっている。
【００２０】
芯材９の溝部１２と被覆体１０の内周面との間は、空隙部１９となっている。
被覆体１０には、被覆体１０を厚み方向に貫通して空隙部１９に連通する係止穴２０が形成されている。
【００２１】
環状グリップ５は、ポリプロピレン、ポリエチレン、ＡＳＡ樹脂、ＡＢＳ樹脂、ポリ塩化ビニル等の合成樹脂により形成されている。図３に示すように、環状グリップ５の外周面には、幅方向の中央に凸湾曲状に隆起した山部２１が形成されており、該山部２１の両側に凹湾曲状に窪んだ窪み部２２が形成されている。これら山部２１と窪み部２２は、環状グリップ５の周方向全周にわたって形成されている。
【００２２】
本実施形態における環状グリップ５は、円弧状の２つの分割グリップ部２３ａ，２３ｂで構成されており、２つの分割グリップ部２３ａ，２３ｂは同一形状となっている（図２）。
図４，図５に示すように、分割グリップ部２３ａ，２３ｂには、周方向の一方の端部の外周面に外周面嵌合部２４が、他方の端部の内周面に内周面嵌合部２５が設けられている。
【００２３】
２つの分割グリップ部２３ａ，２３ｂは、一方の分割グリップ２３ａの外周面嵌合部２４ａと、他方の分割グリップ部２３ｂの内周面嵌合部２５ｂとが嵌合し、一方の分割グリップ２３ａの内周面嵌合部２５ａと、他方の分割グリップ部２３ｂの外周面嵌合部２４ｂとが嵌合するようになっている。
【００２４】
分割グリップ部２３の外周面嵌合部２４及び内周面嵌合部２５には、それぞれ複数の凸部と凹部が形成されている。本実施形態では、外周面嵌合部２４には、周方向の先端から基端にかけて、第１凸部２６ａ、第１凹部２７ａ、第２凸部２６ｂ、第２凹部２７ｂがこの順で形成されている。また、内周面嵌合部２５には、周方向の先端から基端にかけて、第１凸部２８ａ、第１凹部２９ａ、第２凸部２８ｂ、第２凹部２９ｂがこの順で形成されている。
【００２５】
分割グリップ２３には、その内周面から径方向内方に向けて突出した突起部３０が設けられている。突起部３０は、間隙を挟んで対称に設けられた一対の突起片３１で構成されており、突起片３１は、弾性変形可能な脚部３２と、この脚部３２の先端に設けられる爪部３３とを有している。
【００２６】
脚部３２の長さは、被覆体１０の厚みよりも僅かに長く形成されており、突起部３０を係止穴２０に挿入したときに、爪部３３が係止穴２０を貫通して空隙部１９に露出すると共に被覆体１０の内周面の係止穴２０周りに係止可能となっている。
【００２７】
爪部３３には、外側面に先端側に向けて先細りとなるテーパー部３４が形成されており、テーパー部３４の後端と脚部３２との間には、段状に縮径した係止段部３５が形成されている。突起部３０における爪部３３，３３は、係止穴２０に挿入した突起片３１，３１の爪部３３が空隙部１９に達したときに、係止段部３５が係止穴２０の周囲を係止することができる大きさとなっている。
【００２８】
次に、第１例の環状グリップを手すり笠木に装着する方法について説明する。
まず、被覆体１０に対し、ドリル等の切削工具を用いて、芯材９の溝部１２，１２と対応する位置に係止穴２０，２０を貫通させる。そして、２つの分割グリップ部２３ａ，２３ｂのうち、一方の分割グリップ部２３ａの突起部３０を係止穴２０に挿入する。このとき、爪部３３は、係止穴２０に挿入される際に係止穴２０による押圧をテーパー部３４で受け、これにより突起片３１が間隙を狭めるように弾性変形して係止穴２０に挿入される。そして、爪部３３が係止穴２０を貫通したと同時に、突起片３１が弾性復帰して係止段部３５が係止穴２０の周囲に係止する状態となる。
【００２９】
次に、他方の分割グリップ部２３ｂについて、一方の分割グリップ部２３ａの外周面嵌合部２４ａに対し他方の分割グリップ部２３ｂの内周面嵌合部２５ｂが、一方の分割グリップ部２３ａの内周面嵌合部２５ａに対し他方の分割グリップ部２３ｂの外周面嵌合部２４ｂが、それぞれ向かい合うようにセットして、他方の分割グリップ部２３ｂの突起部３０を係止穴２０に挿入する。そして、爪部３３が係止穴２０を貫通すると、突起片３１が弾性復帰して係止段部３５が係止穴２０の周囲に係止すると共に、一方の分割グリップ部２３ａと他方の分割グリップ部２３ｂの互いの外周側嵌合部２４ａ，２４ｂと内周側嵌合部２５ａ，２５ｂとが嵌合する（図２）。これにより、一方の分割グリップ部２３ａと他方の分割グリップ部２３ｂとが一体化し、手すり笠木４に環状グリップ５が装着される。
【００３０】
このような第１例によれば、環状グリップ５の突起部３０を被覆体１０の係止穴２０に挿入し、突起部３０の爪部３３を被覆体１０の内周面の係止穴２０周りに係止させることにより、環状グリップ５を手すり笠木４に固定することができるため、環状グリップ５の厚みを肉薄化して全体をコンパクトにすることができる。これにより、手が小さい女性や子供でも環状グリップ５を掴みやすく、また、手の大きい人でも環状グリップ５を握ったときに壁面１との間で窮屈感を感じない。
【００３１】
環状グリップ５は、同一形状の２つの分割グリップ部２３ａ，２３ｂで構成されているため、部品点数を削減することができ製造コストを低減することができる。また、環状グリップ５の手すり笠木４への取り付けにねじを用いないため、部品点数を削減することができ、さらに、環状グリップ５にねじ穴を形成するための厚みを確保する必要がないため、環状グリップ５の厚みを肉薄に形成することができる。
【００３２】
また、２つの分割グリップ部２３ａ，２３ｂは、外周面嵌合部２４と内周面嵌合部２５にそれぞれ形成された複数の凸部と凹部とを嵌合させることにより、内周面嵌合部２５を外周面嵌合部２４に堅固に嵌合させることができる。
【００３３】
次に、本発明の実施形態の第２例について、図６から図８を参照して説明する。
以下、第２例について、第１例と異なる部分を中心に説明することとし、第１例と同一の構成については同一の符号を付し、その詳細は第１例の説明を援用する。
図６に示すように、手すり２αは、ブラケット３に支持固定される手すり笠木４の外周に環状グリップ４０が装着される。
【００３４】
図７に示すように、被覆体１０には、その外周面から厚み方向に落ち込む係止穴４１が形成されている。なお、係止穴４１は、被覆体４０を厚み方向に貫通して空隙部３６に連通しているが、後述の突起部４９を収納可能であれば、被覆体４０を貫通していなくてもよい。
【００３５】
第２例の環状グリップ４０は、第１例と同様に、幅方向の中央に凸湾曲状に隆起した山部４２と、山部４２の両側に凹湾曲状に窪んだ窪み部４３が形成されている。これら山部４２と窪み部４３は、環状グリップ４０の周方向のほぼ全周にわたって形成されている。
【００３６】
図８に示すように、環状グリップ５は、一方に開放する開放部４４を有する略Ｃ字状のグリップ本体４５と、グリップ本体４５の開放部４４を塞ぐグリップ蓋部５０とで構成されている。
【００３７】
グリップ本体４５は、被覆体１０の外周を覆う優弧状部４７と、優弧状部４７の両端から被覆体１０のスリット端面１８に沿って屈曲する屈曲部４８とを備えている。屈曲部４８は、優弧状部４７よりも肉薄に形成されており、優弧状部４７の周方向端部が段状に縮径した段部４６となっている。屈曲部４８は、柔軟性のある合成樹脂により形成されており、スリット端面１８に沿って屈曲可能になっている。なお、屈曲部４８は、硬質な合成樹脂により予めスリット端面１８の形状に合わせて成形されていてもよい。
【００３８】
グリップ本体４５の優弧状部４７には、その内周面から径方向内方に向けて円柱状に突出した突起部４９が設けられており、突起部４９は、被覆体１０の係止穴４１に嵌合可能な大きさとなっている。なお、本実施形態の突起部４９は円柱状となっているが、本発明はこれに限定されるものではなく、例えば多角柱状等であってもよい。
【００３９】
グリップ蓋部５０には、優弧状部４７の両端部に渡されて開放部４４を塞ぐ劣弧状部５７と、劣弧状部５７の内面から芯材９の開口部１３に向けて突出する係止突部５１とが設けられている。係止突部５１は、間隙を挟んで対称に設けられた一対の係止突片５２で構成されており、一対の係止突片５２の先端部には、それぞれ係止爪５３が設けられている。
【００４０】
一対の係止突片５２は、スリット１６に挿入されて劣弧状部５７が優弧状部４７の両端部に渡されたときに、係止爪５３が芯材９の開口端部１４に掛止される長さとなっている。
係止爪５３には、外側面に先端側に向けて先細りとなる先細部５４が形成されており、先細部５４の後端側には、段状に減幅された係止段部５５が形成されている。
【００４１】
グリップ蓋部５０の劣弧部５０の両側端部には、手すり笠木４のスリット１６に向けて延びる側板部５６が形成されており、一対の側板部５６がスリット１６に嵌合するようになっている。
グリップ本体４５とグリップ蓋部５０は、優弧状部４７の段部４６と劣弧状部５７の周方向端縁とが当接し、グリップ本体４５の開放部４４をグリップ蓋部５０の優弧状部４７で塞ぐようになっている。
【００４２】
次に、第２例の環状グリップ４０を手すり笠木４に装着する方法について説明する。
まず、被覆体１０に対し、ドリル等の切削工具を用いて係止穴４１を形成する。そして、グリップ本体４５の開放部４４を拡開させてグリップ本体４５を被覆体１０に被せ、グリップ本体４５の突起部４９を被覆体１０の係止穴４１に挿入する。そして、屈曲部４８をスリット端面１８に沿ってスリット１６内に挿入する。
【００４３】
次に、グリップ蓋部５０の係止突部５１を手すり笠木４のスリット１６内に挿入する。このとき、係止爪５３は、スリット１６に挿入される際にスリット端面１８による押圧を先細部５４で受け、これにより一対の係止突片５２が互いの係止爪５３を接近させるように弾性変形してスリット１６に挿入される。そして、係止爪５３がスリット１６を経て芯材９の開口部１３を通過すると、係止突片５２が弾性復帰して係止段部５５が開口端部１４に係止する。これにより、グリップ本体４５とグリップ蓋部５０とが一体化し、手すり笠木４に環状グリップ４０が装着される。なお、グリップ蓋部５０は、係止突片５２が屈曲部４８を折曲部１７（スリット端面１８）に押圧するように形成されることが好ましい。
【００４４】
このような第２例の環状グリップによれば、グリップ本体４５の突起部４９を被覆体１０の係止穴４１に嵌合させると共に、グリップ蓋部５０の係止突部５１を芯材９の開口端部１４に係止させることにより、環状グリップ４０を手すり笠木４に固定することができるため、環状グリップ４０の厚みを肉薄化して全体をコンパクトにすることができる。
【００４５】
なお、本発明は、上述の実施形態に限定されるものではなく、本発明の要旨を逸脱しない範囲において適宜の変更が可能である。上記実施形態では、壁付ブラケットにより手すり笠木を壁面に取り付けた手すりを示したが、例えば、階段、廊下、スロープ等に立てられた複数の支柱に手すり笠木を架け渡した手すりにも本発明を適用することができる。
また、上述した実施形態を適宜組み合わせ、或いは、適宜組み替えてもよい。例えば、第１例の突起部を第２例のような円柱状としてもよいし、第２例の突起部を第１例のような先端に爪部を有する一対の突起片としてもよい。
【符号の説明】
【００４６】
１  壁面
２  手すり
３  ブラケット
４  手すり笠木
５，４０  環状グリップ
６  基礎部
７  取付部
８  エンドキャップ
９  芯材
１０  被覆体
１１  壁部
１２  溝部
１３  開口部
１４  開口端部
１５  係止壁
１６  スリット
１７  折曲部
１８  スリット端面
１９，３６  空隙部
２０，４１  係止穴
２１，４２  山部
２２，４３  窪み部
２３，２３ａ，２３ｂ  分割グリップ部
２４，２４ａ，２４ｂ  外周側嵌合部
２５，２５ａ，２５ｂ  内周側嵌合部
２６ａ，２８ａ  第１凸部
２６ｂ，２８ｂ  第２凸部
２７ａ，２９ａ  第１凹部
２７ｂ，２９ｂ  第２凹部
３０，４９  突起部
３１  突起片
３２  脚部
３３  爪部
３４  テーパー部
３５  係止段部
４４  開放部
４５  グリップ本体
４６  段部
４７  優弧状部
４８  屈曲部
５０  グリップ蓋部
５１  係止突部
５２  係止突片
５３  係止爪
５４  先細部
５５  係止段部
５６  側板部
５７  劣弧状部
【図１】
2019065609.tif 000003
【図２】
2019065609.tif 000004
【図３】
2019065609.tif 000005
【図４】
2019065609.tif 000006
【図５】
2019065609.tif 000007
【図６】
2019065609.tif 000008
【図７】
2019065609.tif 000009
【図８】
2019065609.tif 000010